【事件の表示】
　平成１０年特許願第１９６９３３号「表面に固定されたシリカを有するカーボンブラック及びアルコキシシランにより機能化されたジエンポリマーをベースとするゴム組成物」拒絶査定不服審判事件〔平成１１年３月２６日出願公開、特開平１１−８０５１４〕について、次のとおり審決する。
【結　論】
　本件審判の請求は、成り立たない。
【理　由】
第１．手続の経緯
　本願は、平成１０年７月１３日（優先権主張　１９９７年７月１１日　フランス）の出願であって、平成１７年７月１１日に手続補正書が提出され、平成１９年１２月７日付けで拒絶理由が通知され、平成２０年６月１６日に意見書が提出されたが、同年１０月１５日付けで拒絶査定がなされた。これに対して、平成２１年１月１９日に拒絶査定不服審判が請求され、同年４月１日に審判請求書の手続補正書（方式）が提出されたものである。
　
　
第２．本願発明
　本願請求項１〜１０に係る発明は、平成１７年７月１１日に提出された手続補正書により補正された明細書（以下、「本願明細書」という。）の特許請求の範囲の請求項１〜１０に記載された事項により特定されるものと認められるところ、その請求項１に係る発明（以下、「本願発明」という。）は、次のとおりのものである。 
「【請求項１】　一種以上の機能化されたジエンポリマー及び強化充填剤として表面に固定されたシリカを有するカーボンブラックを含む、加硫可能なゴム組成物であって、ジエンポリマーが、次の一般式Ｉ：
　　（Ｙ）ｍ−Ｒ１−Ｓｉ（ＯＲ２）３−ｎ−Ｒ３ｎ　　
（式中、Ｙは次の一般式
【化１】
で表される基であり、
Ｒ１は１〜１０個の炭素原子を含むアルキル、シクロアルキル、又はアリール基であり、
Ｒ２は１〜１２個の炭素原子を含むアルキル、アリール、シクロアルキル、アルカリール、又はアラルキル基であり、
Ｒ３は１〜１２個の炭素原子を含むアルキル、アリール、又はアルカリール基であり、
Ｒ４は１〜６個の炭素原子を含む炭化水素基であって、該炭化水素鎖中に１個以上の酸素原子を含んでいてよく、
ｎは０及び１から選ばれる整数であり、
ｍは１又は２から選ばれる整数であり、
ｐ及びｑは０、１、２、３又は４から選ばれる整数であるが、ｐ＋ｑは２〜５の整数である）
で表される機能化剤により機能化されたジエンポリマーであり、該ポリマーが次の２つの比率
　　ＰＦ＝Ｎｓ／（Ｎｐ×（ｆｎ））≧０．８５
及び
　　ＰＶ＝Ｎｅ／（Ｎｓ×ｍ）≧０．９０
（式中、Ｎｓは機能化されたポリマーのポリマー鎖の一方の末端に結合したケイ素のモル数であり、Ｎｐは機能化前のポリマーのモル数であり、
ｆ（ｎ）は重合開始剤の官能価であり、
Ｎｅは機能化されたポリマーのポリマー鎖の一方の末端に結合したエポキシ基のモル数であり、
ｍは上記定義と同様である）
を同時に満たすことを特徴とする、前記組成物。」
　
　
第３．原査定の拒絶理由
　原査定の拒絶の理由とされた、平成１９年１２月７日付け拒絶理由通知書に記載した理由の内容は以下のとおりである。 
「この出願の下記の請求項に係る発明は、その出願前に日本国内又は外国において、頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。
　　　　　記　　　（引用文献等については引用文献等一覧参照）
・請求項　　１−１０
・引用文献　１，２
・備考
●引用文献１，２記載事項
（引用文献１【請求項１】【請求項７】【請求項１０】【請求項１５】【請求項１６】【請求項１８】、引用文献２対応日本語公報【特許請求の範囲】、２４頁下から７行〜２５頁末行、２７頁１１−１６行　を特に参照）
●引用文献１記載事項との相違点
　引用文献１にはカーボンブラックを含むことは記載されているが、「強化充填剤として表面に固定されたシリカを有するカーボンブラック」は記載されていない。
●相違点についての判断
　引用文献２には、「強化充填剤として表面に固定されたシリカを有するカーボンブラック」に相当する「シリカ被覆カーボンブラック」が記載されており、これをエラストマーに配合した場合に通常のカーボンブラックを配合する場合よりも優れた結果を生じること、これをタイヤトレッドにも配合できることが記載されている。すると、引用文献１に記載されたカーボンブラックを引用文献２「シリカ被覆カーボンブラック」に換えることは、当業者が容易になし得た事項である。
　　　　　　　　　　　引　用　文　献　等　一　覧
１.特開平０８−０５３５１３号公報
２.ＷＯ　９６／３７５４６　Ａ１
　（対応日本語公報：特表平１１−５０５８７８号）」というものである。
　
　
第４．合議体の判断
１．引用文献の記載事項
（１）引用文献１：特開平８−５３５１３号公報
［１−１］「【請求項８】　　機能化ジエンポリマー系イオウ加硫性ゴム組成物であって、補強性充填剤としてシリカを含み、該ジエンポリマーが下記一般式：
（Ｙ）ｍ−Ｒ１−Ｓｉ（ＯＲ２）３−ｎ−Ｒ３ｎ　　
（式中、Ｙは
【化２】
を表し、Ｒ１は炭素原子１〜１０個を有するアルキル基、シクロアルキル基又はアリール基を表し、Ｒ２は炭素原子１〜１２個を有するアルキル基、アリール基、シクロアルキル基、アルカリル基又はアラルキル基を表し、Ｒ３は炭素原子１〜１２個を有するアルキル基、アリール基又はアルカリル基を表し、Ｒ４は炭素原子１〜６個を有する炭化水素基を表しかつ炭化水素鎖に１個以上の酸素原子を含んでもよく、ｎは０又は１の整数であり、ｍは１又は２の整数であり、ｐ及びｑは０〜４の整数であり、ｐ＋ｑの合計は２〜５の整数を表さねばならない。）を有する機能化剤で機能化され、下記の２つの関係：ＰＦ＝Ｎｓ／（Ｎｐ×（ｆｎ））≧０．８５及びＰＶ＝Ｎｅ／（Ｎｓ×ｍ）≧０．９０（式中、Ｎｓは該機能化ポリマーの一方のポリマー鎖端に結合したシリコンのモル数を表し、Ｎｐは機能化前のポリマーのモル数を表し、ｆ（ｎ）は重合開始剤の官能性を表し、Ｎｅは該機能化ポリマーのポリマー鎖端に結合したエポキシ官能のモル数を表し、ｍは前に示した意味を有する。）を同時に満たすポリマーであることを特徴とする組成物。
【請求項１６】  カーボンブラックを更に含むことを特徴とする請求項８記載の組成物。」（特許請求の範囲請求項８及び１６）
　
［１−２］「【発明の属する技術分野】本発明は、充填剤としてシリカを含むエラストマー組成物の未加硫状態における使用特性及び加硫状態におけるヒステリシス特性の改良された機能化ジエンポリマー、タイヤにおけるその使用及び前記機能化ポリマーの新規な調製方法に関する。」（段落【０００１】）　
　
［１−３］「【発明が解決しようとする課題】・・・本発明の目的は、補強性充填剤としてシリカを含有するエラストマー組成物について特にヒステリシス及び補強性の改善された特性を付与することができる機能化ジエンポリマーを得ることである。・・・」（段落【０００７】）
　
［１−４］「・・・一般式Ｉを有する機能化剤で機能化されたポリマーは、補強性充填剤としてシリカを含むゴム組成物を形成するために使用するのに特に適切である。・・・
　・・・組成物中補強剤としてシリカとカーボンブラックが共に用いられると、加硫組成物の場合に改良された性質が常に得られる。・・・カーボンブラックの存在量は広い限定内で異なるが、カーボンブラックの存在量が多くなるほど特性の改良が大きくなることが理解される。カーボンブラックの存在量は、組成物中に存在するシリカの量の２００％以上であることが好ましい。」（段落【００２４】〜【００２５】）
　
（２）引用文献２：ＷＯ　９６／３７５４６（特表平１１−５０５８７８号公報を参照。）
［２−１］「１．エチレンプロピレンジエンのモノマーのゴム、ポリクロロプレン、天然ゴム、水素化ニトリルブタジエンゴム、ニトリルブタジエンゴム、塩素化ポリエチレン、スチレンブタジエンゴム、ブチルゴム、ポリアクリルゴム、ポリエピクロロヒドリン、エチレン酢酸ビニルおよびそれらのブレンドから成る群より選択されるエラストマーと、
　シリカ被覆カーボンブラックと、
を含んで成るエラストマーのコンパウンド。」（特許請求の範囲請求項１）
　
［２−２］「本発明の目的は、改良されたヒステリシスの釣合いを示す新規なエラストマーのコンパウンドを提供することである。他の目的は、シリカ被覆カーボンブラックを含有するエラストマーのコンパウンドを提供することである。本発明のなお他の目的は、カーボンブラックをエラストマーにカップリング剤で効率よくカップリングさせることができる、シリカ被覆カーボンブラックを含有するエラストマーのコンパウンドを提供することである。このようなカーボンブラックは、例えば、タイヤのコンパウンド、工業用ゴム製品及び他のゴム製品において使用することができる。・・・
発明の開示
  本発明は、エラストマーおよびシリカ被覆カーボンブラックを含み、そして必要に応じてカップリング剤を含む、エラストマーのコンパウンドに関する。シリカ被覆カーボンブラックは、エラストマーに、非被覆カーボンブラックに比較して、改良されたヒステリシスを付与する。本発明は、また、種々の製品の用途において有用な種々のエラストマーを使用する、シリカ被覆カーボンブラック／エラストマーの配合物に関する。
発明の詳細な説明
  ・・・
  シリカで被覆されたカーボンブラックは、こうして製造され、エラストマーにおいて、カーボンブラック、シリカ、またはそれらの混合物を越えた利点を付与することが予想される。」（４頁１行〜５頁１０行〈公表特許公報９頁３行〜１０頁１５行〉）
　
［２−３］「本発明のシリカ被覆カーボンブラックとエラストマーとの配合は、このようなエラストマーを慣用のカーボンブラックと配合するとき実現されない利点を有することが考えられる。工業用ゴムの用途に特に有用である、ある種のエラストマーのリスト；および本発明のシリカ被覆カーボンブラックの好ましい配合比、エラストマーの１００部当たりカーボンブラックの部（ＰＨＲ）で表示されている；慣用のカーボンブラックを使用する同一組成物に比較して、このような組成物により得られる考えられる利益；および、適用可能である場合、このような組成物を使用して得られる考えられる利益に相当する、各組成物の有用な工業的利益を下記表１に記載する。・・・
 」（１８頁４行〜２０頁〈公表特許公報２４頁２２行〜２６頁〉）
　
［２−４］「 シリカ被覆カーボンブラックを含有するが、カップリング剤を含有しない本発明のエラストマーのコンパウンドは、改良された動的ヒステリシス特性を提供する。しかしながら、部分的に被覆されたカーボンブラックおよびカップリング剤を含有するエラストマーのコンパウンドは、さらに改良された特性を示す。」（２１頁２１行〜２５行〈公表特許公報２７頁１７行〜２１行〉）
　
２．引用文献１に記載された発明
　記載事項１−１、１−３及び１−４の記載からみて、引用文献１には、
「一種以上の機能化されたジエンポリマー及び強化充填剤としてシリカとカーボンブラックを含む、加硫可能なゴム組成物であって、ジエンポリマーが、次の一般式Ｉ：
　　（Ｙ）ｍ−Ｒ１−Ｓｉ（ＯＲ２）３−ｎ−Ｒ３ｎ　　
（式中、Ｙは次の一般式
【化１】
で表される基であり、
Ｒ１は１〜１０個の炭素原子を含むアルキル、シクロアルキル、又はアリール基であり、
Ｒ２は１〜１２個の炭素原子を含むアルキル、アリール、シクロアルキル、アルカリール、又はアラルキル基であり、
Ｒ３は１〜１２個の炭素原子を含むアルキル、アリール、又はアルカリール基であり、
Ｒ４は１〜６個の炭素原子を含む炭化水素基であって、該炭化水素鎖中に１個以上の酸素原子を含んでいてよく、
ｎは０及び１から選ばれる整数であり、
ｍは１又は２から選ばれる整数であり、
ｐ及びｑは０、１、２、３又は４から選ばれる整数であるが、ｐ＋ｑは２〜５の整数である）
で表される機能化剤により機能化されたジエンポリマーであり、該ポリマーが次の２つの比率
　　ＰＦ＝Ｎｓ／（Ｎｐ×（ｆｎ））≧０．８５
及び
　　ＰＶ＝Ｎｅ／（Ｎｓ×ｍ）≧０．９０
（式中、Ｎｓは機能化されたポリマーのポリマー鎖の一方の末端に結合したケイ素のモル数であり、Ｎｐは機能化前のポリマーのモル数であり、
ｆ（ｎ）は重合開始剤の官能価であり、
Ｎｅは機能化されたポリマーのポリマー鎖の一方の末端に結合したエポキシ基のモル数であり、
ｍは上記定義と同様である）
を同時に満たす組成物」に係る発明（以下、「引用発明」という。）が記載されていると認められる。
　
３．対比、判断
（１）本願発明と引用発明との対比
　本願発明と引用発明とを対比すると、両者は、
「一種以上の機能化されたジエンポリマー及び強化充填剤としてカーボンブラックを含む、加硫可能なゴム組成物であって、ジエンポリマーが、次の一般式Ｉ：
　　（Ｙ）ｍ−Ｒ１−Ｓｉ（ＯＲ２）３−ｎ−Ｒ３ｎ　　
（式中、Ｙは次の一般式
で表される基であり、
Ｒ１は１〜１０個の炭素原子を含むアルキル、シクロアルキル、又はアリール基であり、
Ｒ２は１〜１２個の炭素原子を含むアルキル、アリール、シクロアルキル、アルカリール、又はアラルキル基であり、
Ｒ３は１〜１２個の炭素原子を含むアルキル、アリール、又はアルカリール基であり、
Ｒ４は１〜６個の炭素原子を含む炭化水素基であって、該炭化水素鎖中に１個以上の酸素原子を含んでいてよく、
ｎは０及び１から選ばれる整数であり、
ｍは１又は２から選ばれる整数であり、
ｐ及びｑは０、１、２、３又は４から選ばれる整数であるが、ｐ＋ｑは２〜５の整数である）
で表される機能化剤により機能化されたジエンポリマーであり、該ポリマーが次の２つの比率
　　ＰＦ＝Ｎｓ／（Ｎｐ×（ｆｎ））≧０．８５
及び
　　ＰＶ＝Ｎｅ／（Ｎｓ×ｍ）≧０．９０
（式中、Ｎｓは機能化されたポリマーのポリマー鎖の一方の末端に結合したケイ素のモル数であり、Ｎｐは機能化前のポリマーのモル数であり、
ｆ（ｎ）は重合開始剤の官能価であり、
Ｎｅは機能化されたポリマーのポリマー鎖の一方の末端に結合したエポキシ基のモル数であり、
ｍは上記定義と同様である）
を同時に満たす組成物」の点で一致し、次の点で相違している。
　
○相違点：加硫可能なゴム組成物に含まれる、強化充填剤としてのカーボンブラックが、本願発明では、表面に固定されたシリカを有するカーボンブラックであるのに対し、引用発明では、表面にシリカが固定されたものではない点。
　
（２）相違点についての検討
　引用発明は、タイヤの用途に用いられる（記載事項１−２）、「一種以上の機能化されたジエンポリマー及び強化充填剤としてシリカとカーボンブラックを含む、加硫可能なゴム組成物」（上記第４の２）における、加硫状態におけるヒステリシス及び補強性の改善（記載事項１−３）を目的とするものと解される。
　また、引用文献２には、引用発明と同様の、タイヤの用途に用いられる（記載事項２−２）、エチレンプロピレンジエンのモノマーのゴム、水素化ニトリルブタジエンゴムなどのジエンをベースとするポリマーに対して、シリカ被覆カーボンブラックを配合することが記載されており（記載事項２−１）、さらに、このシリカ被覆カーボンブラックは、
○非被覆カーボンブラックに比較して改良されたヒステリシスを付与すること及びカーボンブラック、シリカ、またはそれらの混合物を越えた利点の付与が予想されること（記載事項２−２）、並びに
○非被覆カーボンブラックに比較して、引裂強さ、切断／チップ抵抗などの補強性を改善すること（記載事項２−３）
が記載されている。
　
　このように、引用文献２には、引用発明と同様のタイヤの用途に用いられる、ジエンをベースとするポリマー組成物において、ヒステリシス及び補強性を改善する目的で、ジエンをベースとするポリマーに配合するカーボンブラックとして、非被覆カーボンブラックに代えて、シリカ被覆カーボンブラックを用いる手法が記載されている。
　したがって、ヒステリシス及び補強性の改善を目的とする引用発明の加硫可能なゴム組成物において、その成分であるカーボンブラックに代えて、引用文献２に記載されたシリカ被覆カーボンブラックを採用することは、当業者であれば容易に想到できることであると認められる。
　そして、引用発明に係る機能化されたジエンポリマーは、引用文献１に「一般式Ｉを有する機能化剤で機能化されたポリマーは、補強性充填剤としてシリカを含むゴム組成物を形成するために使用するのに特に適切である。」（記載事項１−４）と記載されていることからも、シリカに対して特にその機能を発揮するといえるが、引用文献２に記載されたシリカ被覆カーボンブラックは、ジエンをベースとするポリマーとカーボンブラックとが接する界面にシリカを配したものであるので、引用発明の加硫可能なゴム組成物の成分であるカーボンブラックに代えて、引用文献２に記載されたシリカ被覆カーボンブラックを採用することに、阻害要因が存するともいえない。
　
　また、本願発明が奏する「加硫された状態で改良されたヒステリシス特性及び物理特性を有し」（本願明細書段落【０００１】）との効果についても、引用発明に係る機能化されたジエンポリマー及び引用文献２に記載されたシリカ被覆カーボンブラックは、いずれも、ヒステリシス及び補強性の改善を意図して組成物に配合されていることからみて、これらの成分による効果が総和的に発揮されたものであって、顕著な効果であるとは認められない。
　　
（３）まとめ
　よって、本願発明は、引用文献１及び２に記載された発明に基いて当業者が容易に発明をすることができたものであるから、特許法第２９条第２項の規定により、特許を受けることができない。 
　
　
第５．審判請求人の主張について
　１．主張の概要
　審判請求人は、審判請求書（平成２１年４月１日提出の手続補正書（方式）により補正）の「３（４）本発明が進歩性を有する具体的理由」の項において、概略、次のような主張をしている。
○主張：
　本件明細書の段落［００３６］には、実施例４の結果を示す表４を参照して、次のとおり記載されている：
「加硫状態での特性から、本発明によるSBR-A をベースとする組成物Ａ１により、２種類の組成物Ｄ１及びＥ１に比べて極めて低いヒステリシス特性及び非常に高い強化特性を得ることが可能である点に注目すべきである。上記の結果から、
単にカーボンブラックに適合する任意の機能化されたポリマーを採用しても、
単に任意のシリカ用に機能化されたポリマーを、シリカ処理したカーボンブラックをベースとする組成物に代わりに使用しても、特性は改良されない
　上記記載からも明らかなように、当業界では、カーボンブラックやシリカなど、特定の強化充填剤を使用したゴム組成物を得る場合には、ヒステリシス特性あるいは物理特性など、所望の性能を有するゴム組成物が得られるように、当該強化充填剤用にポリマーを機能化したうえで、その強化充填剤と組み合わせることが行われる。したがって、当業界では、従来の強化充填剤を使用した場合と比較して、ある強化充填剤が利点を有しているからといって、ただちに、優れた性能を有するゴム組成物を得ることを目的として、その強化充填剤を任意のポリマーと組み合わせてみよう、ということにはならないのである。
　引例１には、本質的にはシリカである無機強化充填剤を使用したゴム組成物が記載されているが、この無機強化充填剤に代えて、本発明が採用する表面に固定されたシリカを有するカーボンブラックを使用することは記載されていないし、また、引例２には、シリカ被覆カーボンブラックと溶液ＳＢＲとを組み合わせたゴム組成物が記載されているが、本発明が採用する特定の機能化したジエンポリマーを使用することは記載されていない。
　したがって、本件出願の請求項に係る発明は、引例１〜２に記載された発明から当業者が容易に発明をすることができたものではない。」
　
　審判請求人の上記主張について、以下に検討する。 
　審判請求人が指摘するように、本願明細書の実施例４（段落【００３４】〜【００３６】）においては、本願発明の「強化充填剤」に相当する「表面に固定されたシリカを有するカーボンブラック（エコブラック CRX2000）」を、
○本願発明の「一種以上の機能化されたジエンポリマー」に相当する「ＳＢＲ−Ａ」（ブタジエン−スチレンコポリマーであって、1,2-ブタジエン結合の含有率が40％であり、スチレン含有率が25％であり、ガラス転移温度Ｔg が−３８℃であり、かつムーニー粘度が６０であるジエンポリマーを、グリシジルオキシプロピルトリメトキシシラン(GPTSI) からなる機能化剤によりこの目的で機能化したもの）に配合した組成物Ａ１、
○市販のＳＢＲをベースとする「Ｔ０５８９」（日本合成ゴム社製、シリカと反応するように特に改質されたポリマーであって、次の特性を有する。Ｔｇ　＝−３２℃、％１，２　＝４１％、％ｓｔｙ　＝３３％、ＭＬ１＋４　（１００°）＝４５）に配合した組成物Ｄ１、及び
○市販のＳＢＲをベースとする「ＮＳ１１６」（日本ゼオン社製、カーボンブラックと反応するように特に改質されたポリマーであって、次の特性を有する。Ｔｇ　＝−２５℃、％１，２　＝６０％、％ｓｔｙ　＝２１％、ＭＬ１＋４　（１００°）＝５０）に配合した組成物Ｅ１
について、加硫状態における特性が示されており、このことから、組成物Ａ１は組成物Ｄ１及びＥ１に比べて、ヒステリシス及び補強性の改善作用が大きいことは理解できる。
　しかしながら、この実施例４で示されているのは、シリカ被覆カーボンブラックを配合するジエンポリマーの選定に関する事項であって、ジエンポリマーとして、本願発明の「一種以上の機能化されたジエンポリマー」に相当する「ＳＢＲ−Ａ」を選定した場合には、シリカと反応するように特に改質されたポリマーである「Ｔ０５８９」またはカーボンブラックと反応するように特に改質されたポリマーである「ＮＳ１１６」を選定した場合に比べ、ヒステリシス及び補強性の改善される程度が大きいことが示されているにとどまるものである。
　したがって、上記第４．３．（２）の項において示した判断、すなわち、ヒステリシス及び補強性を改善するという目的に沿って、引用文献２に記載された、非被覆カーボンブラックに代えてシリカ被覆カーボンブラックを用いるとの手法を、引用発明において採用することに動機付けがあり、阻害要因がないとの判断は、この実施例４の結果を参酌しても、覆えすことはできない。
　
　また、本願発明が奏する効果についても、上記第４．３．（２）の項で説示したように、引用発明に係る機能化されたジエンポリマー及び引用文献２に記載されたシリカ被覆カーボンブラックによる効果が、総和的に発揮されたものであって、顕著な効果であるとは認められない。
　
　以上のとおりであるので、審判請求人の上記主張は採用できない。
　
　
第６．むすび
　以上のとおりであるから、本願発明についての原査定の拒絶の理由は妥当なものである。
　したがって、他の請求項に係る発明について検討するまでもなく、本願はこの理由により拒絶すべきものである。
　よって、結論のとおり審決する。